(57)【特許請求の範囲】
【請求項１】
受信者デバイス上でアクティブコンテンツをトリガするとともに実行するシステムであって、
トリガメッセージを前記受信者デバイスに送信するように構成された送信者デバイスであって、前記トリガメッセージはＸＭＰＰメッセージ及び任意選択のテキストメッセージから成り、前記トリガメッセージが、該トリガメッセージに応じて前記受信者デバイスによって実行されることになるマルチメディアコンテンツを有するアクティブコンテンツを含む少なくとも１つの実行可能ファイルを指定して、前記受信者デバイスに前記実行可能ファイルを実行させるメッセージであり、前記受信者デバイスが前記トリガメッセージをサポートしないことが分かった場合、前記トリガメッセージは、前記受信者デバイスによってサポートされるテキストメッセージに変換される、送信者デバイス、を備える、システム。
【請求項２】
前記送信者デバイスから前記受信者デバイスに前記トリガメッセージを転送するように配置されたサービス配信プラットフォームを備える、請求項１に記載のシステム。
【請求項３】
前記サービス配信プラットフォームが、前記受信者デバイスが前記トリガメッセージをサポートするかどうかをチェックするように構成された、請求項２に記載のシステム。
【請求項４】
前記変換されたメッセージが、前記トリガメッセージに必要なサポートをダウンロードすることへの前記受信者デバイスに対する勧誘を含む、請求項１に記載のシステム。
【請求項５】
前記トリガメッセージが、ユーザ可読メッセージを含む、請求項４に記載のシステム。
【請求項６】
前記指定された実行可能ファイルが、前記受信者デバイスで記憶されるか、又は、前記トリガメッセージによって指定された追加の場所で記憶される、請求項１に記載のシステム。
【請求項７】
前記追加の場所が、前記実行可能ファイルがダウンロード可能なデータベース又はインターネットストアを含む、請求項６に記載のシステム。
【請求項８】
前記実行可能ファイルが、圧縮ファイル形式である、請求項１に記載のシステム。
【請求項９】
前記受信者デバイスが、前記少なくとも１つの実行可能ファイルにアクセスするとともに前記ファイルを実行するように構成された、請求項１に記載のシステム。
【請求項１０】
受信者デバイス上でアクティブコンテンツをトリガするとともに実行するシステムによって実行される方法であって、
トリガメッセージを送信者デバイスにおいて構成するステップであって、前記トリガメッセージはＸＭＰＰメッセージ及び任意選択のテキストメッセージから成り、該トリガメッセージが、少なくとも１つの実行可能ファイルを指定して、前記受信者デバイスに前記実行可能ファイルを実行させるメッセージであり、該実行可能ファイルが、前記トリガメッセージに応じて前記受信者デバイスによって実行されることになるマルチメディアコンテンツを有するアクティブコンテンツを含み、前記受信者デバイスが前記トリガメッセージをサポートしないことが分かった場合、前記トリガメッセージは、前記受信者デバイスによってサポートされるテキストメッセージに変換される、ステップ、を含む、方法。
【請求項１１】
前記受信者デバイスが前記トリガメッセージをサポートするかどうかをチェックするステップをさらに含む、請求項１０に記載の方法。
【請求項１２】
前記変換されたメッセージが、前記トリガメッセージに必要なサポートをダウンロードすることへの前記受信者デバイスに対する勧誘を含む、請求項１０に記載の方法。
【請求項１３】
前記トリガメッセージが、ユーザ可読メッセージを含む、請求項１２に記載の方法。
【請求項１４】
ソフトウェア命令を含むコンピュータ可読媒体であって、前記ソフトウェア命令は、コンピュータによって実行されるとき、前記コンピュータに請求項１０に記載の方法を実行させる、コンピュータ可読媒体。
【発明の詳細な説明】
【発明の分野】
【０００１】
本発明は、受信者デバイス上でアクティブコンテンツをトリガするとともに実行するシステムに関し、より詳細には、しかし排他的にではなく、マルチメディアコンテンツを配信、トリガするとともに実行するシステム及び方法に関する。
【０００２】
本明細書を通して、文脈上他の意味に解すべき場合を除いて、「備える（comprise）」という用語又は「備え（comprises）」や「備えた（comprising）」などの変化形は、規定された整数値又は整数値のグループを含むが、任意の他の整数値又は整数値のグループを排除しないことを暗示するものとして理解される。
【０００３】
また、本明細書を通して、文脈上他の意味に解すべき場合を除いて、「含む（include）」という用語又は「含み（includes）」や「含んだ（including）」などの変化形は、規定された整数値又は整数値のグループを含むが、任意の他の整数値又は整数値のグループを排除しないことを暗示するものとして理解される。
【背景技術】
【０００４】
本発明の背景の以下の考察は、本発明の理解を容易にすることのみを意図する。本考察は、参照される資料のいずれかが、本発明の優先日の時点でいずれかの法域で公表されていた、知られていた、又は当業者の常識の一部であったことを承認又は了解するものではないことを理解されたい。
【０００５】
通信は、音声通話に応答することなしにモバイルデバイスユーザ間で行われ得る。そのような微妙な通信の一例は、受信者が音声通話に出得る前に送信者の呼出しが断念される不在着信の形をとる。通常は、そのような微妙な通信にかかわる関係者は、一方が他方のベルを鳴らし、ある一定の数のベルの後に電話を切るという事前に定めた取り決めを既に有する。これらの関係者にとって、不在着信は明確なメッセージ（たとえば、一方が待ち合わせ場所に到着したという指示）を伝えることになる。不在着信はまた、インターネットの「ｐｉｎｇ」のように他方がオンラインであるかどうかを単純に確認するために使用することができる。不在着信はまた、一方が、通話を開始する（それによって課金を受ける）よう他方を誘うときなど、他方の注意を促すためにも使用することができる。
【０００６】
しかし、そのような微妙な通信は、誤解されることがあり、一般にあいまいである。
【０００７】
音声通話の代替として、より明白な形の通信は、ＳＭＳの形をとる。しかし、一般に費用がかかり、ＳＭＳテキストメッセージ１回につき１６０文字の制約がある。マルチメディアメッセージングサービス（ＭＭＳ）は、絵、音声、又は音声視覚コンテンツなど、メッセージに非テキストコンテンツを追加できるようにするコアＳＭＳ（ショートメッセージサービス）機能を拡張する。
【０００８】
ＳＭＳを介して高度なユーザ体験を提供する一方で、ＳＭＳ及びＭＭＳの両方は、ＳＭＳ／ＭＭＳの受信者が、ＭＭＳメッセージを見る／聞くことができるように（通常はモバイルデバイスのいくつかのボタンを押すことにより）自身のモバイルデバイスを操作することを必要とする。ＭＭＳメッセージに関するもう１つの不利点は、ＭＭＳメッセージが送信される度にペイロードの配信が繰り返されることである。
【０００９】
さらに、ほとんどのモバイルネットワークは、受信者のモバイルデバイスのディスプレイ上に発信者識別（発信者ＩＤ）を提供する。これは、受信者が発信者ＩＤを読み得る前にモバイルデバイスに極めて接近することを必要とする。入電した旨を通話の受信者に音声で警告する発信者ＩＤシステム−すなわち、音声発信者ＩＤシステム−に改良が行われた。そのような音声発信者ＩＤシステムは、一般に、受信者の発信者ＩＤディスプレイ上に表示される発信者の名前及び／又は番号を識別するように構成された音声合成装置を含む。
【００１０】
他の発信者識別方法は、発信者に応じた着信音のカスタマイズによって機能する。但し、着信音は、呼出しによってトリガされるため、呼出し確立プロセスの一部である。加えて、音声又は着信音は、一般に、発信者にマッピングされ、このようなマッピングは固有とすることができ、したがって、発信者識別が達成される。しかし、そのような着信音は、一般に、発信者に対して受信者によって割り当てられる。現在、特定の着信音を受信者のデバイス上で起動させることができる発信者のためのシステムは存在しない。
【００１１】
本発明は、前述の欠点を軽減又は低減することを目的とする。
【発明の概要】
【００１２】
本発明の第１の態様によれば、アクティブコンテンツをトリガするとともに実行するシステムが提供され、本システムは送信者デバイス及び受信者デバイスを備え、
送信者デバイスが、トリガメッセージを受信者デバイスに送信するように構成され、トリガメッセージが、受信者デバイスによって実行されることになる少なくとも１つの実行可能ファイルを指定し、
受信者デバイスが、指定された実行可能ファイルにアクセスし、ファイルを実行するように構成される。
【００１３】
本システムは、送信者デバイスから受信者デバイスにトリガメッセージを転送するように配置されたサービス配信プラットフォームをさらに備え得る。
【００１４】
好ましくは、サービス配信プラットフォームは、受信者デバイスがトリガメッセージをサポートするかどうかをチェックするように構成される。
【００１５】
受信者デバイスがトリガメッセージをサポートしないことが分かった場合、サービス配信プラットフォームはトリガメッセージを受信者デバイスによってサポートされるメッセージに変換し、変換されたメッセージを受信者デバイスに送信する。
【００１６】
好ましくは、変換されたメッセージは、トリガメッセージに必要なサポートをダウンロードすることへの受信者デバイスに対する勧誘を含む。
【００１７】
トリガメッセージは、ユーザ可読メッセージをさらに含み得る。好ましくは、トリガメッセージはＸＭＰＰメッセージである。
【００１８】
指定された実行可能ファイルは、受信者デバイスで記憶されるか、又は、トリガメッセージによって指定された追加の場所で記憶されうる。そのような追加の場所は、そこから実行可能ファイルがダウンロード可能なデータベース又はインターネットストアを含む。
【００１９】
好ましくは、実行可能ファイルは、圧縮ファイル形式である。
【００２０】
本発明の第２の態様によれば、アクティブコンテンツをトリガするとともに実行する方法が提供され、方法は、
・トリガメッセージを送信者デバイスにおいて構成するステップであって、前記トリガメッセージが受信者デバイスによって実行されることになる少なくとも１つの実行可能ファイルを指定する、ステップと、
・指定された少なくとも１つの実行可能ファイルにアクセスするとともにファイルを実行するように受信者デバイスにおいて構成するステップと
を含む。
【００２１】
本発明の第３の態様によれば、前述のソフトウェア命令を含むコンピュータ可読媒体が提供される。
【００２２】
本発明は、以下のような添付の図面を参照して、単に説明のための例として、ここで説明される。
【図面の簡単な説明】
【００２３】
【図１】本発明の実施形態によるシステム構成図である。
【図２】本発明の実施形態によるアクティブコンテンツを配信、トリガするとともに実行する方法の流れ図である。
【本発明の実施形態の説明】
【００２４】
図１は、本発明の一実施形態に従ってアクティブコンテンツを配信、トリガするとともに実行するためのシステム１０を示す。本実施形態では、アクティブコンテンツは、マルチメディアコンテンツの形式で例示される。システム１０は、受信者デバイス１４と通信する送信者デバイス１２を備える。送信者デバイス１２及び受信者デバイス１４は、通常は、携帯電話である。送信者デバイス１２は、本発明に特定のファイル形式をサポートするソフトウェア／ファームウェア構成要素をインストールされ、そのファイル形式は、以下、ＦＸメッセージと称される。
【００２５】
ＦＸメッセージは、通常は、受信者デバイス１４によって実行されることになる少なくとも１つの実行可能ファイルを指定するトリガメッセージ（以下、ＦＸトリガとして知られる）を含む。実行可能ファイルは、以下、ＦＸバンドルと称される。ＦＸバンドルは、圧縮形式である。ＦＸバンドルは、構成ファイルと、任意で、画像ファイル、ビデオファイル及び／又は音声ファイルのうちの１つ又は複数の形のコンテンツ、或いは、ソフトウェアウィジェットなどのアプリケーションへのポインタを含む。前述のコンテンツは、以下、ＦＸコンテンツと称される。
【００２６】
ＦＸバンドルの構成ファイルは、好ましくは、ＸＭＬファイルの形式である。ＸＭＬファイルは、メタデータ、ＦＸコンテンツのダウンロードＵＲＬの情報、持続期間及び他の効果を含むＦＸコンテンツの表示又はプレイバック命令、受信者デバイス１４の表示又は実行命令をさらに含み得る。嗅覚効果又は触覚効果と関連する任意のＦＸコンテンツを実行することを目的として、受信者デバイス１４は、任意で、使用可能なときはいつでも、加振源、ＬＥＤ、バックライト、追加の組込み又は付属の嗅覚Ｉ／Ｏ及び触覚Ｉ／Ｏなどの周辺装置を含む。例は、振動警報、光表示器又は／及びにおい貯蔵器を含む
【００２７】
ＦＸバンドルは、着信音が配信される方法と同様に、パッケージ化され、配信されてもよい。
【００２８】
受信者デバイス１４は、ソフトウェア／ファームウェア構成要素をインストールされてもされなくてもよい。受信者デバイス１４がソフトウェア／ファームウェア構成要素をインストールされない場合、ＦＸメッセージは、場合によっては、そのような受信者デバイス１４への配信のために、ＳＭＳ又はＭＭＳへの翻訳を可能にするためのレガシサポートを有し得る。
【００２９】
ＦＸバンドルは、様々な方法で受信者モバイルデバイス１４上で使用可能にすることができる。たとえば、
・事前配備−受信者モバイルデバイス１４が、組込みＦＸバンドルとともに既に製造されている。
・オンデマンド−受信者モバイルデバイス１４が、たとえばインターネット又は他の手段を介して、ＦＸバンドルをダウンロード又は要求することができる。ＦＸバンドルはまた、オペレータアプリケーションストアから購入することもできる。別法として、ＦＸバンドルは、企業からの動的メニューエントリとの関連でアプリケーションとしてダウンロードされ得る。
・コンテクスチュアル−ＦＸバンドルは、その実行が必要とされ、受信者デバイス１４内で使用可能なローカルコピーが存在しないときに、ダウンロードされる。
・プッシュされる−ＦＸバンドル所有者が、バンドルのコピーを加入者に又は受動的市場に送出する。
【００３０】
前述の配備の任意選択は組み合わせて使用することができ、将来的な配備の変更形態は本発明の実施形態に含まれ得ることが、当業者には理解されよう。
【００３１】
ＦＸバンドルは、通常は、形式＜ｆｘバンドルＩＤ＞．ｆｘのファイル命名規則に従い、但し、．ｆｘファイルは圧縮ファイルバンドルである。そのファイル名＜ｆｘバンドルＩＤ＞は、実際には、任意で、モバイル国コード（ＭＣＣ）としての最初の３桁と、ＦＸコンテンツの固有識別コードとしての残りの桁から成る。ＦＸバンドル内のすべてのファイルはまた、ＰＮＧ画像ファイルの．ｐｎｇ、ＭＩＤＩ形式での音声ファイルの．ｍｉｄなどのそれぞれのファイル拡張を保有しつつ、ファイル名＜ｆｘバンドルＩＤ＞を使用することになる。
【００３２】
送信者デバイス１２及び受信者デバイス１４は、使用されている通信ネットワークのサービス配信プラットフォーム１６とさらに通信している。
【００３３】
サービス配信プラットフォーム（ＳＤＰ）１６は、ＦＸメッセージングのサービス配信アーキテクチャ（サービス作成、セッション制御及びプロトコルなど）を提供する構成要素のセットを備える。この実施形態では、サービス配信プラットフォーム１６は、ＸＭＰＰサーバ１７を介して実装される適切なメッセージングサポート、すなわちＦＸメッセージのためのＸＭＰＰ（Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ）、を提供するように構成される。但し、受信者デバイス１４はＸＭＰＰ準拠ではなく、ＳＤＰ１６はまた、ＳＭＳ及びＭＭＳを含む従来のメッセージングプロトコル、セッション開始プロトコル（ＳＩＰ）及びＳＩＭＰＬＥ（Ｓｅｓｓｉｏｎ  Ｉｎｉｔｉａｔｉｏｎ  Ｐｒｏｔｏｃｏｌ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）などのオープンスタンダードをサポートするように構成される。
【００３４】
ＳＤＰ１６は、ＦＸコンテンツがＦＸバンドルＩＤに基づいて使用されることを要求されるＦＸバンドルを受信者に知らせるようにさらに構成される。ＦＸトリガは、受信者デバイス１４によって実行されることになるアクションを指定し、ＦＸメッセージが指定するアクションを受信者デバイス１４に実行させる。したがって、関係するデバイス再構成はなく、遠隔アクセスも必要とされない。
【００３５】
それらの様々な機能を実行するために、ＳＤＰ１６は、
・メッセージを操作及び転送するためのメッセージ中継器１６ａ、
・受信者デバイス１４がＦＸメッセージをサポートしない（すなわち、受信者デバイス１４がＦＸトリガを受信すること、及びＦＸバンドルを実行することができない）場合にＦＸメッセージを従来のＳＭＳ／ＭＭＳメッセージに交換する、トランスコーダ１６ｂ、
・ブラウザ、携帯電話アプリケーションなどでもよい、アプリケーションストアとの対話でＦＸ（複数可）の購入を可能にする、アプリケーションストアとのユーザインターフェース１６ｃ、
・ＦＸハンドルダウンロードのためのダウンローダ１６ｄ
を備える。
【００３６】
ＳＤＰ１６はまた、ソフトウェア／ファームウェア構成要素（すなわちＦＸクライアント）をインストールされた任意のデバイス１２、１４の登録データベース１６ｅを保有する。登録データベース１６ｅは、受信者デバイス１４のモバイル識別番号（ＭＩＮ）を追跡する。受信者デバイス１４のモバイル識別番号（ＭＩＮ）がＦＸクライアントを有するものとしてＳＤＰ１６に登録されていない場合、それは、ＦＸメッセージングのサポートに互換性がない受信者デバイス１４であるとみなされる。
【００３７】
本発明の実施形態によるＦＸメッセージを作成及び受信するプロセスは、図２に図式的に示される。ＦＸメッセージは、ＦＸトリガ及び任意の任意選択のメッセージを含む。本プロセスは、送信者デバイス１２のユーザが受信者デバイス１４に送信されることになるＦＸメッセージを要求することで開始する（ステップ２２）。説明を目的として、送信されることになるＦＸメッセージは、誕生日ＦＸコンテンツを実行するためのトリガである（ステップ２４）。任意選択のメッセージは、誕生日のお祝いである。誕生日ＦＸコンテンツは、吹き消されるろうそくのあるケーキのビデオの形式である。任意選択のカスタマイズされたメッセージが、ビデオに追加される（ステップ２６）。任意選択のメッセージは、当業者に知られるようにＦＸメッセージの部分として含まれるＳＭＳ又は任意の他のカスタマイズ可能なテキスト領域の形式でもよい。任意選択のメッセージは、ＳＭＳに適合するのに十分な短さ（１６０字未満）で、受信者がＦＸメッセージをサポートしない場合にフォールバック使用事例をサポートする。
【００３８】
ＦＸメッセージ要求は、次に、ＳＤＰ１６に送信される（ステップ２８）。ＦＸメッセージを受信したとき、ＳＤＰ１６は、受信者のモバイルデバイス１４をチェックして（ステップ３０）、デバイス１４がＦＸメッセージをサポートするかどうかを判定する。このチェックはまた、受信者デバイス１４によっても行われ得る。受信者モバイルデバイス１４がＦＸメッセージングをサポートする場合、すなわち、レガシ問題が存在しない場合（ステップ３２）、ＳＤＰ１６は、次に、受信者デバイス１４のユーザエージェントをチェックして（ステップ３４）、トランスコーディングが必要かどうかを確認する。トランスコーディングの必要が求められる場合、互換性のあるコードが次いで生成される（ステップ３６）。互換性のあるコードは、次いで、ＸＭＰＰ（Ｅｘｔｅｎｓｉｂｌｅ  Ｍｅｓｓａｇｉｎｇ  ａｎｄ  Ｐｒｅｓｅｎｃｅ  Ｐｒｏｔｏｃｏｌ）メッセージとして受信者デバイス１４にプッシュされる（ステップ３８）。
【００３９】
ＸＭＰＰメッセージは、受信時に受信者デバイス１４によって読み取られる（ステップ４０）ＦＸトリガである。指定されたＦＸコンテンツ（すなわち、誕生日ＦＸ）が、次いで、ＦＸトリガに基づいて選択され（ステップ４２）、ＸＭＰＰメッセージのＸＭＬファイルがパーズされる（ステップ４４）。ＳＤＰ１６は、次に、要求されるＦＸバンドルのローカルコピーが存在するかどうかをチェックする（ステップ４６）。そのチェックは、メッセージ自体ではなくてＦＸバンドルのコピーに実行することができる。ＦＸバンドルのローカルコピーが使用可能である場合、ＦＸバンドルが検索され（ステップ４８）、ＦＸバンドルが読み取られる（ステップ５０）。ＦＸバンドルの検索は、抽出、解凍、及びアンバンドリングを含む。ＸＭＬ構成ファイル（ＦＸスクリプト）が、次いで、任意選択のメッセージの表示（ステップ５４）と同時に実行される（ステップ５２）。
【００４０】
他方では、ステップ３２で受信者モバイルデバイス１４がＦＸメッセージングをサポートしない又はそれと互換性がない（すなわち、ＸＭＰＰ形式と互換性がない）と判定された場合、ＦＸメッセージは、任意選択のカスタマイズされたメッセージテキストのみがＦＸ  ＩＤとともに受信者モバイルデバイス１４に送信されるという意味で、ＳＭＳ／ＭＭＳベースのメッセージに変換される（ステップ５６）。
【００４１】
別法として、ＦＸクライアントを取得する方法をユーザに知らせるための別個のメッセージもまた送信することができる。別個のメッセージの代わりに、もう１つの代替は、アプリケーションストアのアプリケーションをトリガして、ＦＸがその受信者によって購入されることを提案すること（それが無料ＦＸではない場合）である。これは、アプリケーション発見の仕組みを提供する。
【００４２】
ＳＭＳ／ＭＭＳは、次いで、受信者モバイルデバイス１４に送信される（ステップ５８）。
【００４３】
加えて、トランスコードが必要とされない場合、ＸＭＰＰメッセージは、互換性のあるコードへの変換の必要なしに、直接送信される。
【００４４】
さらに、ステップ４６でローカルＦＸバンドルコピーが存在しない場合、ＦＸバンドルはダウンロードされ得る（ステップ６０）。
【００４５】
開示されるような本システム及び方法は、以下の利点を提供する。
・ＦＸメッセージングプロトコルは、音声−ビデオプレイバックのみではなく目標モバイルデバイスからの光学的応答及び動的応答（optical and motor responses）もまた含み、任意で触覚Ｉ／Ｏ及び嗅覚Ｉ／Ｏを含む（そのように装備されたデバイス内で）、それ自体のトリガプロトコルを有する独立したメッセージングシステムである。したがって、それは、受信者モバイルデバイス１４にリンクされない。
・ＦＸメッセージが送信者デバイス１２で論理的に設定されるか又は構成されるとき、それは、その結果の構成の柔軟性を提供しながら、受信者デバイス１４でのより少ない処理につながる。したがって、受信者は、ＦＸコンテンツの瞬時の再生を楽しむことができる。
・本発明のもとでサポートされるＦＸコンテンツは、事前定義されて、より個人的な手法の注記を追加するさらなる任意選択を使って、特定の目標とされるメッセージを伝える。
・ＦＸメッセージは、単にトリガファイル及び任意選択のメッセージを含むので、それは、メッセージが送信される度にペイロードを含む必要がない。
・先行技術のメッセージングＳＭＳ／ＭＭＳは、マルチメディア及び／又はテキストに限定される。ＳＭＳは、ＭＭＳによって音声及びビデオを含むように拡張された、テキスト−ベースのメッセージングに限定される。しかし、ＭＭＳ及びＳＭＳの両方は、光学的構成要素及び動力を起こす構成要素（optical and motor components）をサポートしない。本発明は、光学的構成要素及び動力を起こす構成要素でメッセージングを拡張するように、また触覚及び嗅覚の感覚までも含むように開発された。加えて、本発明の下でのペイロードは、クライアントに事前にインストールされ、メッセージが送信される度にペイロードの送信を必要としない。
・従来のスマートフォンアプリケーションと比較すると、様々なスマートフォンアプリケーションはいくつかの形式のメッセージを実装して遠隔アクションをトリガするが、遠隔アクションは、それとともにメッセージを運ばない、又は、メッセージを通信しない。本発明はモバイルの文脈における遠隔制御とメッセージングを介する通信とを結合させる。
【００４６】
前述の実施形態は、以下に詳述するものなど、本発明の例示のみを目的として提供され、当業者には明らかであるように、さらなる変更形態及び改良形態は、記載される本発明の広い範囲及び領域に含まれるものとみなされることを理解されたい。さらに、個々の実施形態が論じられているが、本発明は、論じられた実施形態の組合せをも網羅することを理解されたい。
・構成は、ＦＸメッセージを開始する側によって単に参照され得るメッセージングサーバ側で行うことができる。
・ＦＸメッセージは、静的コンテンツを単に再生する代わりに、ウェブウィジェット（エンドユーザによってウェブページ内でインストール及び実行可能な小さなアプリケーション）を含む一般的アプリケーションを起動するように構成することができる。ＦＸメッセージは、ウェブウィジェットに遠隔でアクセスするようにさらに構成することができる。これは、可能なＦＸコンテンツの数でさらに活性化する。
・当業者には理解されるように、記載される命名規則は単に、ファイルの特定の命名機構の一例である。実装に応じて、他の命名規則が、所望のアプリケーションに応じて可能になろう。ＭＣＣ（モバイル国コード）＋ＭＮＣ（モバイルネットワークコード）＋適用可能であればいくつかの他のコードのこの規則を同様に使用する他のアプリケーションが存在する。
・トランスコードが必要とされない状況では、ＸＭＰＰメッセージは、互換性のあるコードに変換する必要なしに直接送信することができる（すなわち、非スマートフォンシナリオへのフォールバック外）。
・当業者には知られるように、ＸＭＰＰサーバ１７及びサービス配信プラットフォーム１６は、統合することができる。
・ＦＸメッセージはまた、事前プログラム可能な装置内のコンテンツ又は他のアプリケーションを実行するためのトリガとして使用することができる。
［発明の例］
［例１］
受信者デバイス上でアクティブコンテンツをトリガするとともに実行するシステムであって、
トリガメッセージを前記受信者デバイスに送信するように構成された送信者デバイスであって、前記トリガメッセージが、前記受信者デバイスによって実行されることになるアクティブコンテンツを含む少なくとも１つの実行可能ファイルを指定する、送信者デバイス、
を備える、システム。
［例２］
前記送信者デバイスから前記受信者デバイスに前記トリガメッセージを転送するように配置されたサービス配信プラットフォームを備える、例１に記載のシステム。
［例３］
前記サービス配信プラットフォームが、前記受信者デバイスが前記トリガメッセージをサポートするかどうかをチェックするように構成された、例２に記載のシステム。
［例４］
前記受信者デバイスが前記トリガメッセージをサポートしないことが分かった場合、前記サービス配信プラットフォームが前記トリガメッセージを前記受信者デバイスによってサポートされるメッセージに変換し、該変換されたメッセージを前記受信者デバイスに送信する、例３に記載のシステム。
［例５］
前記変換されたメッセージが、前記トリガメッセージに必要なサポートをダウンロードすることへの前記受信者デバイスに対する勧誘を含む、例４に記載のシステム。
［例６］
前記トリガメッセージが、ユーザ可読メッセージを含む、例５に記載のシステム。
［例７］
前記トリガメッセージが、ＸＭＰＰメッセージである、例１に記載のシステム。
［例８］
前記指定された実行可能ファイルが、前記受信者デバイスで記憶されるか、又は、前記トリガメッセージによって指定された追加の場所で記憶される、例１に記載のシステム。
［例９］
前記追加の場所が、前記実行可能ファイルがダウンロード可能なデータベース又はインターネットストアを含む、例８に記載のシステム。
［例１０］
前記実行可能ファイルが、圧縮ファイル形式である、例１に記載のシステム。
［例１１］
前記受信者デバイスが、前記少なくとも１つの実行可能ファイルにアクセスするとともに前記ファイルを実行するように構成された、例１に記載のシステム。
［例１２］
受信者デバイス上でアクティブコンテンツをトリガするとともに実行する方法であって、
トリガメッセージを送信者デバイスにおいて構成するステップであって、該トリガメッセージが少なくとも１つの実行可能ファイルを指定し、該実行可能ファイルが前記受信者デバイスによって実行されることになるアクティブコンテンツを含む、ステップ、
を含む、方法。
［例１３］
前記受信者デバイスが前記トリガメッセージをサポートするかどうかをチェックするステップをさらに含む、例１２に記載の方法。
［例１４］
前記受信者デバイスが前記トリガメッセージをサポートしないことが分かった場合、前記トリガメッセージが前記受信者デバイスによってサポートされるメッセージに変換される、例１３に記載の方法。
［例１５］
前記変換されたメッセージが、前記トリガメッセージに必要なサポートをダウンロードすることへの前記受信者デバイスに対する勧誘を含む、例１４に記載の方法。
［例１６］
前記トリガメッセージが、ユーザ可読メッセージを含む、例１５に記載の方法。
［例１７］
前記トリガメッセージが、ＸＭＰＰメッセージである、例１２に記載の方法。
［例１８］
ソフトウェア命令を含むコンピュータ可読媒体であって、前記ソフトウェア命令は、コンピュータによって実行されるとき、前記コンピュータに例１２に記載の方法を実行させる、コンピュータ可読媒体。
【図１】
0005892624.tif 000002
【図２】
0005892624.tif 000003